Podtech/llm-jp-corpus-v4-ja_patent huggingface dataset:
(57)【要約】【課題】本考案は、紐栞付き本のカバーにおいて本を開いたり閉じたりすると本のカバーが上に競り上がる事があった。【解決手段】両面接着シートと粘着シートを貼り合わせ接着粘着シートを作り粘着シート片13を作る。そして紐栞付き本のカバーの差込片2の内側に粘着シート片13をはり付ける。差込片2の粘着シート片13と本の表紙6の裏に作用する粘着力で紐栞付き本のカバー14の競り上がりを解消することができた。【選択図】図６
0003122080.tif 000002
【実用新案登録請求の範囲】
【請求項１】
紐栞付き本の部分カバーにおいて、本を閉じ開きするとき本のカバーが競り上がらないようにカバーの一部に粘着シート片を貼り付けた粘着シート付き本のカバー。
【考案の詳細な説明】
【技術分野】
【０００１】
本のカバーに関するものである。
【背景技術】
【０００２】
図1は紐栞付き本の部分カバーの図である。
図2は、紐栞付き本の部分カバー1を本5に装着した図である、紐栞付き本の部分カバー1において、本を開いたり閉じたりを繰り返すと紐栞付き本の部分カバー1が上に競りあがる傾向がある。
【０００３】
【特許文献１】特許公開2003−312164参照、発明の名称：紐栞付き本の部分カバー
【考案の開示】
【考案が解決しようとする課題】
【０００４】
図2の紐栞付き本の部分カバー装着図において、本を開いたり閉じたりを繰り返すと紐栞付き本の部分カバー1が上に競り上がることがある、本を読む時これを手で修正するなど煩雑であった。
【課題を解決するための手段】
【０００５】
本考案は、このような紐栞付き本の部分カバー1の一部に粘着シート片を付けると、本を閉じたり開いたりしても本とカバーが粘着シート片の粘着力で上に競り上がることを防止することができる。
カバーを本から外すとき、粘着シート片は本を傷めることはなく簡単に本から剥がすことができる。
【考案の効果】
【０００６】
本考案は、図6に示すように両面接着シート8と粘着シート9を貼り合せた粘着シート片13を本のカバーに貼り付け、接着と粘着の機能を活かして本のカバーの競り上がりを無くし、栞付き本の部分カバーの機能性を更に高めることができた。
【考案を実施するための最良の形態】
【０００７】
図3は粘着シート片13の作成方法を示す図である。
両面接着シート8と粘着シート9を貼り合せ片方が接着面11、他方が粘着面12の1枚の接着粘着シート10を作成する、そして、この接着粘着シート10を円状に切抜き、粘着シート片13を作る。
図4は粘着シート片13を示す図である。下側が接着面11、上側が粘着面12になっている。
図5は紐栞付き本の部分カバー1の差込片2に粘着シート片13を接着させ取り付けた粘着シート付き本のカバー14の図である、差込片2の本と接する内側に粘着シート片13の接着面11をあて接着させている。また、この粘着シート片13は差込片3や本のカバーの他の部分に接着させて使用することも可能である。
【実施例】
【０００８】
図6は粘着シート付き本のカバー14を本5に装着した図である。
粘着シート付き本のカバー14を本5の表紙6にあて、差込片2及び差込片3を表紙6の内側に差込む。すると差込片2に接着してある粘着シート13の粘着面12が本のカバーの裏側に粘着して本が上に競り上がる事をなくすることが出来る。
粘着シート付き本のカバー14を本5から外す時、粘着シート片13は本のカバーに接着しているが、粘着面12は本から容易に剥がれて本を傷めることはない。
【図面の簡単な説明】
【０００９】
【図１】紐栞付き本の部分カバーの図。
【図２】紐栞付き本の部分カバーの装着図。
【図３】粘着シート片の作成図。
【図４】粘着シート片の図。
【図５】粘着シート付き本のカバーの図。
【図６】粘着シート付き本のカバーの装着図。
【符号の説明】
【００１０】
１  紐栞付き本の部分カバー
２  差込片
３  差込片
４  紐栞
５  本
６  表紙
７  背表紙
８  両面接着シート
９  粘着シート
１０  接着粘着シート
１１  接着面
１２  粘着面
１３3  粘着シート片
１４  粘着シート付き本のカバー
【図１】
0003122080.tif 000003
【図２】
0003122080.tif 000004
【図３】
0003122080.tif 000005
【図４】
0003122080.tif 000006
【図５】
0003122080.tif 000007
【図６】
0003122080.tif 000008
(57)【要約】【課題】力点が楕円形ギア回転に作用して力が均等になることによって、円形ギアの力の不均衡を改善して、騎乗効率を高める自転車大ギア構造を提供する。      【解決手段】自転車大ギア構造は、主に楕円形ギアから構成され、楕円形ギアはペダルを踏む力によって反復回転する扁平状の楕円形体である。この楕円形ギアの中間には円心が施され、外周には円形ギアと同じ数の凹凸歯縁が設置される。最上端が力点であり、半径が長ければ長いほど施力が大きくなる。【選択図】図２
0003122524.tif 000002
【実用新案登録請求の範囲】
【請求項１】
主に楕円形ギアから構成された自転車大ギア構造において、そのうち、
楕円形ギアは、ペダルを踏む力を利用して反復回転する扁平状の楕円形体で、楕円形ギアの中間には円心が設置され、外周には円形ギアと同じ歯数の凹凸歯縁が設置され、半径が長ければ長いほど力が大きく、力点作用により楕円形ギアの回転力を等しくして、円形ギアの力の不均衡を改善することを特徴とする自転車大ギア構造。
【請求項２】
前記楕円形ギアは、後傾座式自転車に設置する時、力点が異なる角度設計のペダルにより、位置を変更することを特徴とする請求項１記載の自転車大ギア構造。
【考案の詳細な説明】
【技術分野】
【０００１】
本考案は、自転車大ギア構造に関するもので、ギアの形状を円形から楕円形に変え、ギア外周の凹凸歯数は変えない。楕円形最上端が力点で、人の足の関節の動きの力角度と共に、楕円形ギアが反復回転する時、かかる力の作用力が平均して楽に騎乗するものである。
【背景技術】
【０００２】
公知の自転車大ギアは、図１に示すとおり、主に円形ギア１から構成される。そのうち円形ギア１は、ペダル２に力をかけて反復回転する扁平円形体であり、円形ギア１外周には凹凸歯縁１１が設置される。その円心から円周までの距離は半径であり、円形の半径は同じ長さであり、力学的観点からすると、半径はモーメントに等しいため、円形のモーメントの長さは等しく、すべてにかかる力も等しい。しかし人の足関節の動きである力角度に合わせることができないため、脚関節が収縮して最上端でペダル２を踏んだ時、力をかけにくく、ペダルを約９０度下に下ろした時が一番力をかけられる。この原理から円形ギア１の反復回転の力は不均衡で、騎乗が疲れやすい。
【考案の開示】
【考案が解決しようとする課題】
【０００３】
解決しようとする問題点は、脚関節の動きが力角度に合わせられないため、力を余計に使い、騎乗者が疲れやすい点である。
【課題を解決するための手段】
【０００４】
本考案は、主に楕円形ギアから構成され、そのうち、楕円形ギアは、ペダルを踏む力によって反復回転する扁平状の楕円形体である。この楕円形ギアの中間には円心が設置され、外周には円形ギアと同じ数の凹凸歯縁が設置される。最上端が力点であり、半径が長ければ長いほど力が大きくなることを最も主要な特徴とする。
【考案の効果】
【０００５】
本考案の自転車大ギア構造は、力点作用によって、楕円形ギアを回転する施力が均衡になり、円形ギアの施力不均衡を改善するという利点がある。
【考案を実施するための最良の形態】
【０００６】
本考案の目的は、自転車大ギア構造を提供して力点が楕円形ギア回転に作用して力が均等になり、円形ギアの力点不均衡の欠点を改善した。
【０００７】
図２に示すとおり、本考案は、楕円形ギア１から構成される。そのうち、
【０００８】
図３に示すとおり、楕円形ギア１はペダル３を踏む力によって反復回転する扁平状楕円形である。この楕円形ギア１中間には円心１１が設置され、外周には円形ギア２と同じ歯数の凹凸歯縁１２が設置され、最上端が力点１３で、半径の長さが長ければ長いほど大きく、力点１３が楕円形ギア１回転に作用して力が均等になることによって、円形ギア２の力の不均衡を改善して、騎乗効率を高める。
【０００９】
実施時、図３に示すとおり、一般の座式自転車の力は、ペダル３に力がかかって楕円形ギア１を回転させる。この時、設計力点１３は、図２に示すとおり、楕円形ギア１の最上端である。しかし後傾座式自転車は、異なる角度で設計されたペダル３であり、力点１３の位置も変わる。この力点１３は円心１１までの半径が長ければ長いほど力が必要であり、ちょうど脚部関節の動きによる力角度に合い、脚関節が収縮してペダル１３が最上端に至った時は力がかけにくい。この時、楕円形ギア１の力半径は一番短い時が最も力がかからない。またペダル３が９０度下がった時が最も力をかけやすい。つまり楕円形ギア１の施力半径が一番長い時が一番力を必要とする。この原理で楕円形ギア１を反復回転し、かかる作用力を均衡させ、騎乗者は軽々と運転できる。この楕円形ギア１は一般の変速自転車に適用することもできる。
【００１０】
本考案の自転車大ギア構造は、円形ギア２を楕円形ギア１に変え、ギア外周の凹凸歯縁１２の歯数は変えない。円形ギア２の施力不均衡の欠点を改善し、楕円形ギア１によって欠点を改善し、施力作用が均衡になり、産業効率が向上する。
【図面の簡単な説明】
【００１１】
【図１】公知の円形ギア回転実施指示図である。
【図２】本考案のギア断面図である。
【図３】本考案の楕円形ギア回転実施指示図である。
【符号の説明】
【００１２】
公知
１        円形ギア
１１        凹凸歯縁
２        ペダル
本考案
１        楕円形ギア
１１        円心
１２        凹凸歯縁
１３        力点
２        円形ギア
３        ペダル
【図１】
0003122524.tif 000003
【図２】
0003122524.tif 000004
【図３】
0003122524.tif 000005
(57)【要約】      （修正有）【課題】茶葉を飲むときにお茶が最適な濃さとなる色彩を中蓋に施すことにより、最適な濃さのお茶を容易に作ることができるようにする茶筒を提供する。【解決手段】筒本体１０と、筒本体の開口端部１５と嵌合する中蓋３０と、筒本体の開口端部１５に套嵌する蓋体２０とを有し、筒本体１０内に収納される茶葉を飲むときに、お茶が最適な濃さとなる色彩を中蓋３０に施してある。また、筒本体１０内に収納される茶葉を飲むときに、お茶が最適な濃さとなる色彩を中蓋底面部３１に施してある。【選択図】図２
0003122527.tif 000002
【実用新案登録請求の範囲】
【請求項１】
筒本体と、筒本体の開口端部と嵌合する中蓋と、筒本体の開口端部に套嵌する蓋体とを有し、筒本体内に収納される茶葉を飲むときに、お茶が最適な濃さとなる色彩を中蓋に施したことを特徴とする茶筒。
【請求項２】
筒本体内に収納される茶葉を飲むときに、お茶が最適な濃さとなる色彩を中蓋底面部に施したことを特徴とする請求項１記載の茶筒。
【考案の詳細な説明】
【技術分野】
【０００１】
本考案は、お茶を飲むときに、最適な濃さのお茶を容易に作ることができる茶筒に関するものである。
【背景技術】
【０００２】
一般に市販されている茶筒は、筒本体と蓋体と中蓋とにより構成されており、茶葉を中蓋と筒本体との間に収納して使用している。
そして、この茶筒より茶葉を取り出して、最適な濃さのお茶を作るには、茶を入れる者の勘に頼らざるを得ないのが実情である。
【０００３】
この改善策としては、実開平５−１６６２６号公報において、急須のサイズ、好みの濃度、茶葉の大小に応じて簡単に適量の茶葉を振り出すことができる茶筒が開示されてはいる。
この茶筒は、中蓋の上面に大穴と小穴を開けてあり、中蓋を取り外すことなく、急須のサイズ、好みの濃度、茶葉の大小に応じて、大穴と小穴を使い分けることにより、適量の茶葉を大穴と小穴より振り出すというものである。
【０００４】
しかしながら、前記公報記載の茶筒においては、中蓋に設けた大穴と小穴を使い分けることにより、茶筒より振り出される茶葉の量を調整することができるかもしれないが、好みの濃さのお茶を作るには勘に頼らざるを得ず、入れたお茶が濃すぎたり薄すぎたりするという問題点を解消するものではなかった。
【特許文献１】実開平５−１６６２６号公報
【考案の開示】
【考案が解決しようとする課題】
【０００５】
解決しようとする問題点は、最適な濃さのお茶を作るには、茶を入れる者の勘に頼らざるを得ない点である。
【課題を解決するための手段】
【０００６】
本考案は、最適な濃さのお茶を容易に作ることができるようにするため、筒本体と、筒本体の開口端部と嵌合する中蓋と、筒本体の開口端部に套嵌する蓋体とを有し、筒本体内に収納される茶葉を飲むときに、お茶が最適な濃さとなる色彩を中蓋に施したことを特徴としている。
また、筒本体内に収納される茶葉を飲むときに、お茶が最適な濃さとなる色彩を中蓋底面部に施したことを特徴としている。
【考案の効果】
【０００７】
本考案の茶筒は、中蓋の色彩と同じ色となった状態のお茶をコップに注ぐことにより、最適な濃さのお茶を容易に提供することができるという利点がある。
【考案を実施するための最良の形態】
【０００８】
最適な濃さのお茶を容易に作ることができるようにするという目的を、茶葉を飲むときにお茶が最適な濃さとなる色彩を中蓋に施すことにより実現した。
【実施例１】
【０００９】
図１は、本考案に係る茶筒の１実施例の分解斜視図であって、茶筒は、筒本体１０、蓋体２０、中蓋３０により構成されている。
図２は、前記中蓋３０を用いて最適な濃さのお茶を作る状態を示す斜視図である。
【００１０】
筒本体１０は、茶葉を収納する部位であり、一方に開口１１を有する円筒形状を呈している。
筒本体１０は、外周面に形成した段部１２を境として、筒上部１３と筒下部１４とで構成されており、筒上部１３の外径は筒下部１４の外径より小さく構成してある。
【００１１】
蓋体２０は、前記筒本体１０の筒上部１３に套嵌するものであり、一方が開口した円筒形状を呈している。
蓋体２０の側面部２１の長さ（高さ）は、筒上部１３の長さ（高さ）より長く形成してあり、筒本体１０への套嵌時に、側面部２１の開口端部２２は筒本体１０の段部１２と当接するように形成してある。
【００１２】
中蓋３０は、底面部３１と、底面部３１の周縁部を折曲延成した側面部３２と、側面部３２の周縁部を外方向に折曲延成した鍔部３３とにより構成してある。
そして、中蓋３０の側面部３２は、前記筒本体１０の筒上部１３の開口端部１５内に嵌入すると共に、鍔部３３が筒上部１３の開口端と当接し、筒本体１０内が密閉されることになる。
３４は、鍔部３３より内方向に突出形成した舌片であり、中蓋３０を抜き外す際に使用するものである。
【００１３】
中蓋３０は、透明若しくは半透明な合成樹脂により作製してある。
中蓋３０には、筒本体１０内に収納した茶葉を使用してお茶を飲むときに、コップに注がれるお茶が、最適な濃さのお茶であるときの色彩を施してある。
この最適な濃さを表示する色彩は、中蓋３０の少なくとも底面部３１に施してあればよい。
【００１４】
次に、本考案に係る茶筒の使用方法について説明する。
まず、筒本体１０内に収納した茶葉を急須（図示せず）に入れ、お湯を注ぐ。
そして、急須からコップに茶をいれるとき、図２に示すように、コップＣ内に注いだお茶の色が中蓋３０に施した色彩と同じ色となる状態まで急須内で茶葉を蒸らし、同じ色となったときにお茶を注げば、最適な濃さのお茶を提供することができる。
【産業上の利用可能性】
【００１５】
中蓋３０に筒本体１０内に収納した茶葉を飲むときの最適な濃さの色彩を施すことにより、どの茶筒においてもその収納した茶葉を最適な濃さで飲むことができるようになり、どの茶筒にも適用できる。
【図面の簡単な説明】
【００１６】
【図１】本考案に係る茶筒の１実施例の分解斜視図である。
【図２】本考案に係る中蓋を用いて最適な濃さのお茶を作る状態を示す斜視図である。
【符号の説明】
【００１７】
１０  筒本体
１５  筒本体開口端部
２０  蓋体
３０  中蓋
３２  中蓋底面部
【図１】
0003122527.tif 000003
【図２】
0003122527.tif 000004
(57)【要約】【課題】衣料品の着用者に対する不快感を軽減するプリントラベルの基布を提供すること。【解決手段】プリントラベルの基布（１０）は、全体に矩形状の平面形状を有する表示部（１２）であってその各コーナ部分（１６）が弧状を呈する表示部（１２）と、コーナ部分（１６）間にあって表示部（１２）に連なりかつこれと重なり合う複数の縫い代部（１４）とを含む。【選択図】図１
0003122564.tif 000002
【実用新案登録請求の範囲】
【請求項１】
全体に矩形状の平面形状を有する表示部であってその各コーナ部分が弧状を呈する表示部と、
前記コーナ部分間にあって前記表示部に連なりかつこれと重なり合う複数の縫い代部とを含む、プリントラベルの基布。
【請求項２】
前記縫い代部は、互いに相対する一対の縫い代部からなる、請求項１に記載の基布。
【考案の詳細な説明】
【技術分野】
【０００１】
本考案は、衣料品に取り付けられ、その品質や洗濯方法を表示し、あるいは製造販売者のロゴマークを表示するプリントラベルのための基布に関する。
【背景技術】
【０００２】
従来、プリントラベルの基布として、品質やロゴマークが表示される矩形の平面形状を有する表示部と、該表示部に連なりかつこれと重なり合う、互いに相対する一対の縫い代部とを有するものが使用されている。
【０００３】
前記従来の基布にあっては、その表示部のコーナ部分が角をなし、しかも前記表示部に重ね合わされた縫い代部により二重になっているため、この部分が衣料品着用者の肌に当たると、着用者に非常な不快感を与えるものとなっていた。
【考案の開示】
【考案が解決しようとする課題】
【０００４】
本考案の目的は、衣料品の着用者に対する不快感を軽減するプリントラベルの基布を提供することにある。
【課題を解決するための手段】
【０００５】
本考案にかかるプリントラベルの基布は、全体に矩形状の平面形状を有する表示部であってその各コーナ部分が弧状を呈する表示部と、前記コーナ部分間にあって前記表示部に連なりかつこれと重なり合う複数の縫い代部とを含む。前記縫い代部は、例えば互いに相対する一対の縫い代部からなる。
【考案の効果】
【０００６】
本考案によれば、全体に矩形状の平面形状を有する表示部のコーナ部分が弧状をなし、このために角張っておらず、しかも縫い代部が前記コーナ部分間にあって該コーナ部分と重なり合っていないことから、前記表示部のコーナ部分を比較的柔軟で肌当たりの良好なものとすることができる。これにより、本考案の基布を用いてプリントラベルとするとき、これを取り付けた衣料品の着用者に対する不快感が大幅に軽減される。
【考案を実施するための最良の形態】
【０００７】
図１を参照すると、衣料品に取り付けられるプリントラベルのための基布が全体に符号１０で示されている。
【０００８】
基布１０は例えばポリエステル、アセテート、ナイロンのような合成繊維製の織物からなり、衣料品の品質や洗濯方法、ロゴマーク等の表示が付される部分である表示部１２と、基布１０を衣料品に縫い付けるための部分である互いに相対する一対の縫い代部１４とを有する。
【０００９】
表示部１２は、全体に矩形状の平面形状を有し、その各コーナ部分１６が弧状を呈する。すなわち、表示部１２は４つの弧状のコーナ部分１６と、該コーナ部分に連なる２対の互いに平行な直線部分１８，２０とを有する。コーナ部分１６はその始端から終端までの範囲で角張ることなく滑らかに推移することから、この部分は肌に対する刺激が少なく、肌当たりがよい。
【００１０】
好ましくは、各コーナ部分１６と直線部分１８，２０とが滑らかに連なるように設定される。また、コーナ部分１６の長さすなわち該コーナ部分の始端から終端に至る長さ寸法及びコーナ部分１６の曲率は任意に定めることができる。
【００１１】
両縫い代部１４はそれぞれ矩形の平面形状を有し、表示部１２にその一方の両直線部分１８において連なりかつ両直線部分１８に沿って伸びている。縫い代部１４は、図示の例に代えて、これを矩形以外の平面形状を有するものとすることができる。
【００１２】
各縫い代部１４は、各直線部分１８の両端に位置する両コーナ部分１６間に位置する。このため、表示部１２はそのコーナ部分１６で縫い代部１４と重なり合わず、二重になっておらず、一重の状態にある。このことから、表示部のコーナ部分１６を、これを二重とする従来の場合と比べて、柔軟なものとすることができ、これにより肌触りの良いものとすることができる。
【００１３】
縫い代部１４は、さらに、他の直線部分２０の両端に位置する両コーナ部分１６間に設け、これによりその数量を３又は４に設定することも可能である。
【００１４】
図２に示すように、基布１０は、細長いテープ状の織物２２を例えば超音波振動を利用した型抜き（超音波切断）をすることにより得られ、前記織物２２の長手方向へ連続する縫い代部１４、表示部１２及び縫い代部１４からなる織物部分における両縫い代部１４をそれぞれ表示部１２へ折り曲げてこれに重ね合わせることにより形成することができる。
【図面の簡単な説明】
【００１５】
【図１】本考案に係る基布の平面図である。
【図２】図１に示す基布を得るために型抜きされる細長い織物を示す平面図である。
【符号の説明】
【００１６】
１０  基布
１２  表示部
１４  縫い代部
１６  コーナ部分
【図１】
0003122564.tif 000003
【図２】
0003122564.tif 000004
(57)【要約】【課題】タイルの隅結合構造を提供する。【解決手段】アルミからなり、一つの直角に円弧面が形成され、また、アルミ板に随意に穴が点在するタイルの隅結合構造であり、二つの平面にあるタイルを接合する時、円弧面があるため結合がより綺麗になり、そして、点在する穴のためより良い付着力が得られる。【選択図】図１
0003122568.tif 000002
【実用新案登録請求の範囲】
【請求項１】
二つのアルミ板が交差することにより構成されるタイルの隅結合構造であって、二つの平面にあるタイルを綺麗な曲線に結合できる円弧面と、
タイルとタイルの隅結合構造と壁との間に付着力が得られるためのアルミ板に随意に点在する穴と、がある、ことを特徴とするタイルの隅結合構造。
【請求項２】
アルミ板は、異なる色にすることができ、円弧面に、図柄が形成されることを特徴とする請求項１に記載のタイルの隅結合構造。
【考案の詳細な説明】
【技術分野】
【０００１】
本考案は、タイルの隅結合構造に関する。
【背景技術】
【０００２】
タイルを壁のコーナーに貼り付く時、タイルの突出を解消するため、タイル同士の間にセメントを塗布する。しかしながら、セメントは、時間の経過とともに、気候による脹縮により、亀裂などが形成されて、また、セメント自身が、灰色で光沢がないため、汚くなり、また、清潔し難い。そのため、セメントやプラスチックの欠点を解消し、タイルの美しさを強調でき、内装の完全性を、そして、安全性を一層に実現できるタイルの隅結合構造が要請される。
【考案の開示】
【考案が解決しようとする課題】
【０００３】
本考案の目的は、結合がより綺麗になり、より良い付着力が得られるタイルの隅結合構造を提供する。
【課題を解決するための手段】
【０００４】
アルミからなり、一つの直角に、円弧面が形成され、また、アルミ板に随意に穴が点在するタイルの隅結合構造である。
【０００５】
アルミ板は、異なる色にすることができ、円弧面に、図柄が形成されるタイルの隅結合構造である。
【考案を実施するための最良の形態】
【０００６】
図１のように、その構造は、二つのアルミ板材が交差して、四つの直角が形成される。
【０００７】
図２のように、使用する時、隅結合構造の比較的に長い翼３１と翼３２とからなる直角５３を、直交する二つの平面からなる壁のコーナーに固定し、直角５１と直角５２との直角５３に近い側面に、薄いセメントを塗布してから、それぞれ、二つのタイル２１を貼り付き、アルミ板に随意に穴１３が点在するため、タイル２１を貼り付く時、タイル２１と隅結合構造１０とセメントとの間に、簡単に外力によって外れることのない付着力が得られる。また、直角５４に、円弧形状の円弧面１１が形成され、二つの平面に位置するタイルを接合する場合、円弧形状の綺麗な曲線が形成される。加工終了後、全体の外観は、図３のようになり、二つの平面に位置するタイル２１同士の間に、アルミの隅結合構造１０があるため、両側にあるタイル２１の特徴が、更に強調される。
【図面の簡単な説明】
【０００８】
【図１】本考案に係わるタイルの隅結合構造の立体概念図
【図２】本考案に係わるタイルの隅結合構造の実施概念図１
【図３】本考案に係わるタイルの隅結合構造の実施概念図２
【符号の説明】
【０００９】
１０        隅結合構造
１１        円弧面
１３        穴
２１        タイル
３１        翼
３２        翼
５１        直角A
５２        直角B
５３        直角C
５４        直角D
【図１】
0003122568.tif 000003
【図２】
0003122568.tif 000004
【図３】
0003122568.tif 000005
(57)【要約】【課題】この考案の課題は屋外でも屋内でも全天候型の防水を施した防水型電池パックを提供するものである。【解決手段】箱型の筐体内部に電池及び保護回路等他の電子機器と電力の受給電できる電池機能を備える電池パックにおいて、前記筐体を被覆する電気的絶縁性のシートと、該シートに周囲の一部を被覆され、残りの部分は前記他の電子機器との電気的に接続される電極と、前記シートと一体的で電極の該当箇所を導電性とした導電性部とからなり前記電極の一部をシートで被覆し残りは導電性部として電池パックを防水構造にした防水型電池パック。【選択図】  図１
0003122557.tif 000002
【実用新案登録請求の範囲】
【請求項１】
箱形の筐体内部に電池及び保護回路等他の電子機器と電力の受給電できる電池機能を備える電池パックにおいて、前記筐体を被覆する電気的絶縁性のシートと、該シートに周囲の一部を被覆され、残りの部分は前記他の電子機器と電気的に接続される電極と前記シートと一体的で電極の該当箇所を導電性とした導電性部とからなり前記電極の一部をシートで被覆し残りは導電性部として電池パックを防水構造にした防水型電池パック。
【請求項２】
前記電極部分でのシートと導電部とを接着材で接着してなる請求項1記載の防水型電池パック。
【請求項３】
前記電池部分でのシートと導電部の面積は電極より導電部を大にしてなる請求項1記載の防水型電池パック。
【請求項４】
前記導電部とシートは熱溶着してなる請求項1記載の防水型電池パック。
【考案の詳細な説明】
【技術分野】
【０００１】
この考案は、例えば電子機器本体に取り付けられ電子機器本体に電力を受給電する防水型電池パックに関する。
【背景技術】
【０００２】
携帯型電子機器、例えば携帯電話機は充電タイプの電池が内蔵された電池パックが採用されている。この電池パックは設計段階で各種の条件テストを行うが、防水テストは重要な要件になっている。又小型化されしかも屋外で使用する等の使用形態が変化し全天候型が望まれている。
【０００３】
特に、水たまりに落とした場合、或いは雨降り、或いは台所での水仕事など防水型の携帯電話が市場から要請されている。携帯電話に使用される電池パックは内部に電池を収納しているので一層防水構造が要求されるが従来のものは防水構造としては不十分なものであった。特に電池パックが上蓋と下蓋との嵌合構造を採用するためにこの嵌合構造の箇所から浸水することが多く、また他の電子機器と受給電を行う為の電極が外に露出するためこの箇所の浸水が多く認められる。
【０００４】
そして多く採用される構造はそれぞれの部材が組み合わされる箇所での組み合わせ密度を高くして浸水の防止を図る傾向が大多数で従って、特に防水といった特別な部材を用いた防水構造は採用されていない。従って、電池パックの防水構造の実現が早急に望まれている。
【特許文献１】特願平４−１３９３５８号公報
【考案の開示】
【考案が解決しようとする課題】
【０００５】
この考案の課題は屋外でも屋内でも全天候型の防水を施した防水型電池パックを提供するものである。
【課題を解決するための手段】
【０００６】
上記の課題を解決するために電池パック本体のほぼ全域を塩ビなどのシートで覆い、外部との受給電となる電極部分はシートと導電部材を一体化し、電池パック本体を構成する上蓋と下蓋との嵌合部分は勿論のこと電極部分でも確実に密閉できるようにして内部への浸水を防止できる防水型電池パックを提供するものである。
【考案の効果】
【０００７】
請求項1〜4によれば筐体の全体をシートで覆うから筐体内部への水分の浸入は防止できる従って、電池が水分で浸水することがなくなる。又、電極はシートと一体化した導電部材が該当するので他の電子機器との電極箇所での受給電にも支障がないものである。
【考案を実施するための最良の形態】
【０００８】
（実施形態1）
以下この考案実施例を図面1及び図2に基づいて説明する。1はプラスチック等で形成された電池パック本体で、この電池パック本体１は上蓋と下蓋とから構成され両者は嵌合構造で組み合わされている。
【０００９】
この電池パック本体1の内部にはリチューム二次電池及び保護回路等が内蔵され、他の電子機器に電力の受給電を行うのに十分な機能を構成している。２は筐体１の端面に露出した3個の電極で、該電極２は＋、−、アース極で他の電子機器との電力の受給電ができるようになっている。
【００１０】
該電極２は電池パック本体１の内側から予め電池パック本体1に形成された前記電極2より僅かに小さい孔から露出している。勿論この電極2は内部のリチュームなどの二次電池に電気的に接続されている。
【００１１】
このように構成した電池パック本体1は塩ビなど電気的絶縁性のシート３で被覆する。
この場合シート３は熱収縮性のものを採用し、電池パック本体1に被覆して熱収縮を計ることで密着でき、又、前記シート３は電極2に該当する箇所で導電部材４が前記シート３と一体的に形成され、この導電箇所が電極2と位置合わせされている。これによって、先ず電池パック本体1の上蓋と下蓋との嵌合わせ箇所での浸水は防止でき、又、電極２の箇所でも防水できる。
【００１２】
尚、電極２の箇所でのシート３と導電部材４とは予め一体的に形成して此れを用いて被覆してもよく、また、シート３の電極２に該当する箇所に孔を開け、此れに導電部材４を接着して被覆してもよいことはもちろんである。此れによって電子機器の他の電極５に対して導電部材４を通して電極２に導通することができる。図中導電部材４は斜線で現している。導電部材４はカーボンを含有したビニールであってもよく、此れをシート３と一体的に形成するか、接着剤などで縁を接着してもよい。
【００１３】
此れによって電極２へは導電部材４で他の電極から導電でき、しかも電極箇所及び上蓋、下蓋の嵌合箇所での浸水も無くなるものである。
【図面の簡単な説明】
【００１４】
【図１】この考案に係わる防水電池パックの斜視図。
【図２】図1の電極箇所の拡大図。
【符号の説明】
【００１５】
１  電池パック本体
２  電極
３  シート
４  導電部材
５  他の電極
【図１】
0003122557.tif 000003
【図２】
0003122557.tif 000004
(57)【要約】      （修正有）【課題】見栄えや，それを観る者に好印象が与えられる装飾具を提供すること。【解決手段】複数の装飾具本体２とそれぞれを連結する連結部材３からなり、１つの装飾具本体に対し他の装飾具本体を揺動可能となしてなる。【選択図】図１
0003122560.tif 000002
【実用新案登録請求の範囲】
【請求項１】
複数の装飾具本体とそれぞれを連結する連結部材からなり、一つの装飾具本体に対し他の装飾具本体を揺動可能となしたことを特徴とする装飾具。
【請求項２】
上記装飾具本体のうち少なくともその１つは連結部材に固着され、他の装飾具本体は連結部材に対して摺動可能となしたことを特徴とする上記請求項１に示す装飾具。
【請求項３】
上記連結部材は、ゴムまたは金属バネのような弾力性のある材質であることが特徴の上記請求項１及び２に示した装飾具
【考案の詳細な説明】
【技術分野】
【０００１】
本考案は、イヤリング、ネックレス、ブレスレット等の装飾に用いられる装身具に関するものである。
【背景技術】
【０００２】
近頃特にネックレスなどにあっては、その胸元に当る部分から下方に、異質の装飾体を吊下げるのが流行している。それはたとえばネックレスの上記胸元に当る部分から下方に、色付きの珠と透明な珠など複数の珠を吊下げて見栄えを向上させた発明がある。（特許文献１参照）
【０００３】
【特許文献１】特開２００５−１５２３３５（〔００３４〕及び図面）
【考案の開示】
【考案が解決しようとする課題】
【０００４】
ところが、上記従来技術の場合は、単に環状のネックレス本体に対し、それとは異質の塊が固定されているか，あるいはその塊が揺動する程度のもので決して見栄えのよいものといえなかった。
【０００５】
而して、本考案は上記課題を解決し、その見栄えを良くし，それを観る者に好印象が与えられる装飾具を提供することを目的としたものである。
【課題を解決するための手段】
【０００６】
而して本考案の特徴の１つは、複数の装飾本体とそれぞれを連結する連結部材からなることである。
【０００７】
そして上記１つの装飾本体に対し、他の装飾本体を揺動可能となしたことである。
【０００８】
また本考案の他の特徴は、上記装飾本体の少なくともその１つを連結部材に固着し、他のそれは連結部材に摺動可能となしたことである。
そして本考案の他の特徴は、上記連結部材がゴムあるいは金属バネのような弾力性ある材質で造られていることである。
【考案の効果】
【０００９】
而して上記の本願の装飾具本体は，それをイヤリングやネックレスやブレスレットの飾りの一部として吊下げて使用するもので、それは、連結部材に対して略長手方向に複数の装飾具本体があり、その存在を知ら占ることが、装飾効果を頗る増大させ得たのである。
【００１０】
また１つの装飾具本体に対して他の装飾具本体を揺動させ得るようになした実施例のものは、装着者が歩く度毎に飾具本体が揺れ動くので、特に当該装飾具本体の見栄えをよくしたものとなったのである。
【００１１】
そして上記に連結部材は、これをゴムまたは金属バネのような弾力性ある部材としたものは、上記装飾具本体が時計の振り子のように揺れるだけでなく，その歩行に併せて上下方向にも回動方向にも揺れ動くことになり、それだけ装着者自身の気分も爽快になり、観る人も楽しい気分とさせ得たのである。
【００１２】
図１に示す実施例のものは本案の装飾具本体（２）を、イヤリング（１）に施したものである。
【００１３】
而して図１では、かかる装飾具本体（２）は、最上段の装飾具本体（２１）と、最下段の装飾具本体（２３）と中間部の装飾具本体（２２）とからなる。
（３）はゴムまたは金属バネのような弾力性ある材質で造られた紐状の連結部材で、その上端には上記最上段の装飾具本体（２１）が、末端には最下段の装飾具本体（２３）が固着され、中間部に設けられた装飾具本体（２２）は、この連結部材（３）が貫通され連結部材（３）の軸線方向に摺動乃至滑動できるようになっている。
【００１４】
この摺動手段の１例を図７に示した。即ち上記中間の装飾具本体（２２）は、その軸線の貫通孔（４）の左右に開放窓（５）がある。
この場合かかる貫通孔（４）は、これに挿通される連結部材（３）の径よりやや小径としておく事が好ましい。
【００１５】
而して上記の貫通孔（４）に紐状の連結部材（３）を挿通させると、連結部材（３）は弾力性ある材質（素材）でできているから、上記開放窓（５）の部分でこの窓（５）に少しく侵入し、かかる装飾具（１）を吊下げて携行しても中間装飾具本体（２２）が滑動することがないのである。
なお、図１で（６）は耳たぶ（７）に挿通するための針部材で、最上段の装飾具本体（２１）より横方向に突出して設けられている。
【００１６】
ここで衆知のように針部材（６）を耳たぶ（７）に通し、止具（８）でイヤリング（１）を耳たぶ（７）に吊下げる。そして装着者が歩行などすれば少なくとも中間の装飾具本体（２２）や下段の装飾具本体（２３）は揺れ動き、あるいは躍動して、装着者は勿論これを観る人も好印象を与え、華やかな気分に慣れるというものである。
【００１７】
このとき、装着者の気分の変更で、かかるイヤリング（１）の下方を華やかにしたいなら、中間の装飾具本体（２２）を下降させ最下段の装飾具本体（２３）に近づければ、イヤリング（１）の下方が華やかになりその揺れも大きくなって比較的派手なものとすることができ、これとは逆に中間の装飾具本体（２２）を上昇させ最上段の（２１）に近づければ、比較的地味なイヤリング（１）とすることができるなど装着者の嗜好に併せることもできる。
【００１８】
さらに図６はネックレス（９）に装飾具本体（２）を装備したもので、その作用効果は上記イヤリング（１）の場合と同等である。また図で（１０）はチェーン（１１）の掛止部材で、かかるチェーン（１１）を首にかける場合などその大きさ（径）を変えたいときも、上記掛止部材（１０）のいずれか一方を片手でもち、他方の手で引っ張ればその径を自由な所望の大きさとすることができるのである。
【図面の簡単な説明】
【００１９】
【図１】本案における装身具本体全体の斜視図
【図２】同図１のA−A線拡大断面図
【図３】装飾具本体の側面図
【図４】同平面図
【図５】実施例の使用状態斜視図
【図６】同ネックレスに実施した例の正面図
【図７】図２のB−B線断面図
【符号の説明】
【００２０】
１  イヤリング
２  装飾具本体
２１  最上段の装飾具本体
２２  中間部の装飾具本体
２３  最下段の装飾具本体
３  連結部材
４  貫通孔
５  開放窓
６  耳たぶ
７  針部材
８  止具
９  ネックレス
１０  掛止部材
１１  チェーン
【図１】
0003122560.tif 000003
【図２】
0003122560.tif 000004
【図３】
0003122560.tif 000005
【図４】
0003122560.tif 000006
【図５】
0003122560.tif 000007
【図６】
0003122560.tif 000008
【図７】
0003122560.tif 000009
(57)【要約】【課題】採光部から取り入れた太陽光を建物内に導き、建物内で放光する光ダクト装置において、太陽光を効率的に取り込むことができる採光部を提供すること。【解決手段】光ダクト１には太陽光を取り込む採光部２が設けられ、採光部２は上向きに開いた開口部２１を有している。採光部２で取り込まれた太陽光は、光ダクト内を伝播し、室内などに放光される。光ダクトの採光部２の開口部２１は、南側が北側よりの低くなるように形成されている。例えば、開口部１１を例えば傾いた平面でカットし、傾いた開口面Ａを形成する。なお、開口面Ａは、平面であっても曲面であっても、また段差を有する面であってもよい。採光部２をこのように構成することにより光ダクトへの採光量を増大することができる。【選択図】          図１
0003122506.tif 000002
【実用新案登録請求の範囲】
【請求項１】
太陽光を取り込む採光部を備え、該採光部から取り入れた太陽光を建物内に導き、建物内で放光する光ダクト装置の採光部であって、
上記採光部は、上向きに開いた開口部を有し、該開口部の開口面は、南側が北側より低くなるように水平面に対して傾いている
ことを特徴とする光ダクト装置の採光部。
【請求項２】
上記開口部の開口面は平面であることを特徴とする請求項１に記載の光ダクト装置の採光部。
【考案の詳細な説明】
【技術分野】
【０００１】
本考案は光ダクトを介して建築物内部に光を導き建築物内部を照明する光ダクト装置の採光部に関する。
【背景技術】
【０００２】
近年、省エネルギーや二酸化炭素の排出削減による環境保護の必要性が注目されており、この要望に応えるための手段の一つとして太陽光を内面に反射率の高い部材で構成したダクトを介して室内に取り込み、照明光源として利用する光ダクト装置が提案されている（特許文献１など参照）。
この装置はエネルギーを電気等の他のエネルギーに変換せずにそのまま活用するため、エネルギー利用効率が高く、省エネルギーや二酸化炭素の排出削減に貢献することができる。
【０００３】
図５は光ダクト装置の概念を示す図である。
図５において、１０１は太陽光（自然光）、１０２は上向きに開いた開口部を有する採光部、１０４は光ダクトである。光ダクト１０４は例えば同図（ｂ）に示すように、断面が矩形状で、内面が反射面で構成され、採光部１０２から取り入れた自然光は、光ダクト１０４内を反射しながら、搬送され、光取出し口１０７から室内に放光される。なお、光ダクトの断面形状は矩形に限られず、その他の多角形状、円形状、半円形状、楕円形状等であってもよい。
【特許文献１】特開２０００−１４９６２８号公報
【考案の開示】
【考案が解決しようとする課題】
【０００４】
光ダクトは自然光を取り込んで利用するものであるから、採光部としては、自然光を効率的に取り込める構造とすることが望まれる。
光ダクトは、例えば図５に示したように上向きに開いた採光部１０２を有し、採光部１０２から平行光である太陽光を取り込んでいるが、このような構成では、必ずしも効率的に太陽光を取り込むことはできない。
本考案は、上記事情に鑑み考案されたものであって、太陽光を効率的に取り込むことができる採光部を提供することである。
【課題を解決するための手段】
【０００５】
上記課題を本考案においては、次のように解決する。
（１）上向きに開いた開口部を有する光ダクトの採光部において、該開口部の開口面（開口部の周縁を含む面）を、南側が北側より低くなるように水平面に対して傾ける。
（２）上記（１）において、開口面を平面とする。
【考案の効果】
【０００６】
本考案においては、以下の効果を得ることができる。
（１）光ダクトの採光部において、開口部の開口面を、南側が北側より低くなるように水平面に対して傾けたので、効率的に太陽光を採光することができる。
（２）上記開口面を平面としたので、開口部に平面状のガラスなどの密閉部材を取りつけることができる。
【考案を実施するための最良の形態】
【０００７】
図１は本考案の第１の実施例を示す図であり、本実施例は断面が矩形状の光ダクトに適用した場合を示している。
図１において、１は断面が矩形状の光ダクト、２は光ダクトの採光部であり、採光部２は上向きに開いた開口部２１を有している。採光部２で取り込まれた太陽光は、光ダクト内を伝播し、図５に示したように室内などに放光される。
本実施例では、光ダクトの開口部１１の開口面Ａを同図（ａ）の点線で示すように南側が北側より低くなるように形成する。
すなわち、同図（ａ）に示す光ダクトの端部を、例えば傾いた平面でカットし、同図（ｂ）のように開口部１１を形成する。なお、ここで開口面Ａとは開口部２１の周縁を含む面であり、平面であっても曲面であっても、また段差を有する面であってもよい。
【０００８】
採光部２をこのように構成することにより、図２に示すように従来に比べ採光量を増大することができる。すなわち、上記採光部１１の開口面Ａを同図（ａ）に示すように水平にする場合に比べ、同図（ｂ）に示すように太陽の方向（南側）に傾け、南側が低くなるようにすることにより、効率的に太陽光３を取り込むことができる。なお、開口面Ａの傾きは、太陽が南中するときの高度に応じて、取り込める光の量が最も多くなるように、適宜設定すればよい。
【０００９】
図１では、光ダクトの開口面Ａの一辺が南向きの場合を示したが、図３（ａ）に示すように、光ダクトの開口面Ａの頂点が南向きの場合は、開口面Ａを南向きの頂点が最も低くなるようにしてもよい。
また、上記開口面Ａが平面でなくてもよく、例えば図３（ｂ）に示すように階段状であったり、曲面であってもよい。
ここで、上記採光部１１の開口部は、通常、雨などが吹き込まないように、ガラスなどの密閉部材を取り付けるが、開口面を平面とすれば、平面状のガラスなどで、開口部を密閉することができ、構造は簡単になる。
【００１０】
図４は、断面が円形状の光ダクトの採光部に本考案を適用した場合を示す。
図４において、１は光ダクト、１１は光ダクトの採光部を示している。本実施例では、断面が円形状の光ダクトの採光部１１を同図（ａ）の点線で示すように南側が北側よりの低くなるように平面でカットし、同図（ｂ）のように開口面を傾けて形成する。これにより、先の実施例と同様、太陽光を効率的に取り込むことが可能となる。
なお、この場合も開口面を平面とすれば構造は簡単になるが、図３に示すように、階段状に構成したり、曲面にしてもよい。
【図面の簡単な説明】
【００１１】
【図１】断面が矩形状の光ダクトに本考案を適用した実施例を示す図である。
【図２】本考案により、採光量が増大する様子を示す図である。
【図３】図１に示した実施例の変形例を示す図である。
【図４】断面が円形状の光ダクトに本考案を適用した実施例を示す図である。
【図５】光ダクト装置の概念を示す図である。
【符号の説明】
【００１２】
１    光ダクト
２    採光部
２１  開口部
３    太陽光
【図１】
0003122506.tif 000003
【図２】
0003122506.tif 000004
【図３】
0003122506.tif 000005
【図４】
0003122506.tif 000006
【図５】
0003122506.tif 000007
(57)【要約】【課題】簡単な構造によって浴室内における鏡表面の曇り止め装置の提供を目的とする。浴室内に設置した鏡は、浴槽からの水蒸気の影響を受けて曇り見えなくなる。この曇りを防止するために、鏡の面を電気加熱して結露を防止させる方法、又は鏡の表面に吐水させる方法等が知られているが問題も多い。【解決手段】浴室内鏡の上部に貯水槽を設け、貯水槽下部に一方を閉鎖した筒体を設けて、筒体の閉鎖部側の筒体が下に傾斜するよう支軸を設ける、その筒体の開放部に該貯水槽より給水して筒体に水を充満させ、水が充満すれば反転し、吐水して元に復帰することを特徴とする鏡面に水を断続的に流下させ鏡面の曇りを防止する装置である。【選択図】図１
0003122571.tif 000002
【実用新案登録請求の範囲】
【請求項１】
浴室内鏡の上部に貯水槽を設け、貯水槽下部に一方を閉鎖した筒体を設けて、筒体の閉鎖部側が下に傾斜するよう支軸を設ける、その筒体の開放部に該貯水槽より給水して筒体に水を充満させ、水が充満すれば反転し吐水して元に復帰することを特徴とする鏡面に水を断続的に流下させ鏡面の曇りを防止する装置。
【考案の詳細な説明】
【技術分野】
【０００１】
本考案は、浴室内に設置した鏡を好適に使用する装置に関する。
【背景技術】
【０００２】
浴室内に設置した鏡は、浴槽からの水蒸気の影響を受けて曇り見えなくなる。この曇りを防止するために、鏡の面を電気加熱して結露を防止させる方法、又は鏡の表面に吐水させる方法等が知られている。
【考案の開示】
【考案が解決しようとする課題】
【０００３】
しかし、前者の電気加熱の場合は、すぐには温まらず、又、常時加熱することはエネルギーの無駄が生じ、さらに電気配線は漏電等の心配がある。また、後者の鏡の表面に吐水させる方法(特開平８−１８７１４６)もセンサ等構造が複雑となる。
本考案では、簡単な構造によって浴室内における鏡表面の曇り止め装置の提供を目的とする。
【特許文献１】特開平８−１８７１４６号公報
【課題を解決するための手段】
【０００４】
上記課題を解決するため、本考案の鏡の曇り止め装置は、浴室内鏡の上部に貯水槽を設け、貯水槽下部に一方を閉鎖した筒体を設けて、筒体の閉鎖部側が下に傾斜するよう支軸を設ける、その筒体の開放部に該貯水槽より給水して筒体に水が充満させ、水が充満すれば反転し、吐水して元に復帰することを特徴とし、鏡面に水を断続的に流下させ鏡面の曇りを防止する装置である。
【０００５】
このように筒体開放部に該貯水槽より給水して筒体に水を充満させ、水が充満すれば反転し、吐水して元に復帰する装置であるから、筒体に水が充満するまでの時間は鏡面に水は流下せず、筒体に水が充満して始めて吐水させるから断続的な流下となる。
鏡面を流下した水は、鏡表面に付着している水滴と共に流れ落ち、これにより鏡表面の曇りは除去され、明視できるようになる。
【考案の効果】
【０００６】
浴室内に設置した鏡は、浴槽からの水蒸気の影響を受けて曇り見えなくなる。この曇りを本考案の装置により断続的に水を流下させて鏡表面に付着している水滴は水流と共に流れ落ちる。これにより鏡表面の曇りは除去され、明視できるようになる。
【考案を実施するための最良の形態】
【０００７】
以下、本考案の実施例を図１乃至図３を参照して説明する。                          
浴室の壁面に取り付けられた鏡７の上部に貯水槽１が設置される、貯水槽１は幅385mm、高さ125mm、奥行き100mmで約4800ccの容量の水が収容される。貯水槽１の給水口２の径は約4mmである。下部に設けられる一方を閉鎖した筒体３は全長360mm、内径46mmで開口部は斜めに切断されている、筒体３の容量は約200ccである。この筒体３は水が空の状態で閉鎖部側が下に傾斜するよう支軸４を設ける、筒体開放部に該貯水槽１より給水して筒体に水が充満すれば反転し、吐水して元に復帰する。吐水した水は鏡面との間隙５の約2mmの間を流下する。  このようにして鏡面に水を断続的に流下させ鏡面の曇りを防止する装置である。
【図面の簡単な説明】
【０００８】
【図１】本考案の装置の斜視図である。
【図２】本考案の装置の正面断面図である。
【図３】本考案の装置の側面断面図である。
【符号の説明】
【０００９】
１  貯水槽
２  給水口
３  筒体
４  支軸
５  間隙
６  レバー
７  鏡
８  取り付け具
【図１】
0003122571.tif 000003
【図２】
0003122571.tif 000004
【図３】
0003122571.tif 000005
(57)【要約】      （修正有）【課題】水の侵入を防止し、半永久的に効果を持続させることができる磁気式水処理器を提供する。【解決手段】本体外箱部材１の凹部に、本体外箱部材２を溶接取り付けする。これらの本体外箱部材１，２の一方に、本体外箱部材３を溶接取り付けする。そして、本体外箱部材１，２，３で形成される開口部内部に、あらかじめ磁石を取り付けている本体固定金具４を挿入し、本体外箱部材１，２と本体固定金具４とを接着固定して本体を形成する。一方の本体の凹部面の磁石をＮ極とし、他の本体の凹部面の磁石をＳ極とし、凹部面どうしを合わせ、丁番８を用いて溶接取り付けし、ロック錠９を開閉可能に溶接取り付けして、磁気式水処理器を形成する。【選択図】図４
0003122580.tif 000002
【実用新案登録請求の範囲】
【請求項１】
通水管の周面に対応する湾曲を持つ、上部本体と下部本体の一対からなる本体は内部に磁石（ネオジム）と磁石固定金具と通水管方向以外の３方向に磁力が飛ばないように鉄板にて３方向を遮断した磁石付の収納部材をステンレス使用の箱形の本体外部収納容体に挿入し取付けし、箱型外部収納容体の全接合部を全面熔接で完全密封し、上部本体の通水管面の磁石Ｎ極と下部本体の通水管面Ｓ極を磁石の同一位置に保つためとまた一対の開閉式にするため丁番２ヶ所とロック錠を使用しこの丁番とロック錠の取り付けも熔接取付けし、ネジ１本も使用しない完全防水型の磁気式水処理器。
【考案の詳細な説明】
【技術分野】
【０００１】
本考案は、水処理器本体内部への水の侵入を完全に防止し、半永久的に効果を持続させる磁気式水処理器に関するものである。
【背景技術】
【０００２】
従来一対からなる２つ割りのケースを通水管に包むように取り付け、通水管の赤さびやスケールの除去や水道水のカルキ臭をなくしおいしい水を作るというＭＨＤ反応原理を応用した磁気式水処理器が一般的なものである。しかし本体を土中に埋設取付けするため本体内部に水が入り磁石の磁力が低下し本体自体も腐食し長く使用する事ができなかった。
【０００３】
今まで磁気式水処理器で半防水型のゴムパッキンやシール剤で防水していたが数年で劣化し本体内部に水が入り一番大切な磁石を分解させ磁気処理能力を失わせていた
【考案の開示】
【考案が解決しようとする課題】
【０００４】
本体内部に水が入らないものを作らなければならない。従来ゴムパッキンやシール剤などで接着していたが、劣化し防水作用が長期間持たないため完全防水できるものを製作製造し提供しなければならない点である。
【課題を解決するための手段】
【０００５】
解決するための手段として本体の材質もステンレスの中でも一番腐蝕に強いＳＵＳ３１６ステンレスを使用し土中でも腐蝕しない本体を作り、防水のために本体接合部分の全箇所を熔接し完全防水型の本体を作り一対の開閉式にするための丁番とロック錠についても熔接取り付けしネジ一本も使用しない完全防水型の磁気式水処理器を提供するものである。
【考案の効果】
【０００６】
通水管の大きさにより各種の部品を比例拡大することにより工業用の大きな通水管にも対応し、現在環境を問われている工業用水や業務用上水道（ホテルや大型施設）など巾広く対応できる磁気式水処理器である。
【０００７】
また０００６の記載による工業用も今まで屋外に設置することにより雨や水などで本体が長持ちしなかったが、この発明により工業用で、設置することにより巾広い環境問題の解決につながる水処理器である。
【考案を実施するための最良の形態】
【０００８】
現在まで、湿気や水により数年で劣化していた磁石を、本考案はステンレスとステンレスの接合部分を全箇所熔接し本体内部の磁石を湿気や水から完全に遮断し磁石を保護することにより永年使用する事の出来る磁気式水処理装置を実現した。
【実施例１】
【０００９】
図面に基づき説明する図１の１は、ステンレス製の凹部に図１の２を溶接取り付けし、図１の１〜２の一方に図１の３Ａを溶接取り付けし、図１の１〜３の本体の一方の開口部より図２の４の中にあらかじめ磁石（ネオジム）をセンター内部に３ヶ所接着取り付けしているものを挿入し図１の１〜２と図２の４を接着固定し図１の３Ｂを溶接取り付けし本体が出来上がる。
【００１０】
本体Ａの凹部面の磁石がＮ極のもと、本体Ｂの凹部面の磁石がＳ極のものを凹部面どうし合わせ、図３の８の丁番２ケ使用し溶接取り付けし、開閉式にするために図３の９のロック錠を溶接取り付けし本体、磁気式水処理器の完成となる。
【図面の簡単な説明】
【００１１】
【図１】磁気式水処理器の外部部品を示した説明図である。
【図２】磁気式水処理器の内部部品を示した説明図である。
【図３】固定金具の丁番とロック錠を示した説明図である。
【図４】磁気式水処理器の完成を示した説明図である。
【符号の説明】
【００１２】
１〜３Ｂ  本体外箱部材
４〜７  本体内部固定金具
８  丁番
９  ロック錠
【図１】
0003122580.tif 000003
【図２】
0003122580.tif 000004
【図３】
0003122580.tif 000005
【図４】
0003122580.tif 000006